(57)【要約】【課題】洗面台の排水口内部やヘアキャッチャーに発生するヌメリを効率よく防除することができ、かつ簡便に消耗したヌメリ防除用薬剤を取り替えることができる洗面台用排水栓を提供すること。【解決手段】微生物の発育抑制物質を含有する固形薬剤４と、リング状シール部材３及び該リング状シール部材の下方に固定され前記固形薬剤を収容することができる薬剤収容バスケット５を備えた薬剤保持部、並びに該薬剤保持部から垂設されヘアキャッチャーを保持した垂設ロッド７を有する排水栓本体１と、リング状シール部材と協働して洗面台ボウルの排水口を封水することができる封水部材２とを備えたことを特徴とする薬剤取替型ヌメリ防除機能付き洗面台用排水栓である。【選択図】図１
2005048355.tif 000002
【特許請求の範囲】
【請求項１】
微生物の発育抑制物質を含有する固形薬剤と、リング状シール部材及び該リング状シール部材の下方に固定され前記固形薬剤を収容することができる薬剤収容バスケットを備えた薬剤保持部、並びに該薬剤保持部から垂設されヘアキャッチャーを保持した垂設ロッドを有する排水栓本体と、リング状シール部材と協働して洗面台ボウルの排水口を封水することができる封水部材とを備えたことを特徴とする薬剤取替型ヌメリ防除機能付き洗面台用排水栓。
【請求項２】
封水部材が、その下面内側に垂下円筒部分を備えた、リング状シール部材の上方に配置される封水蓋として構成されていることを特徴とする請求項１記載の薬剤取替型ヌメリ防除機能付き洗面台用排水栓。
【請求項３】
封水部材が、リング状シール部材の上方に配置される封水蓋とその下方に固形薬剤を収納した薬剤収納部とを有する薬剤カセットから構成されていることを特徴とする請求項１記載の薬剤取替型ヌメリ防除機能付き洗面台用排水栓。
【請求項４】
封水蓋が、プッシュボタン式の開閉機構を有することを特徴とする請求項２又は３記載の薬剤取替型ヌメリ防除機能付き洗面台用排水栓。
【請求項５】
封水部材が、上方から固形薬剤の残量を確認することが可能な透明又は半透明であることを特徴とする請求項１〜４のいずれかに記載の薬剤取替型ヌメリ防除機能付き洗面台用排水栓。
【請求項６】
垂設ロッドが、下端に錘部を有することを特徴とする請求項１〜５のいずれか記載の薬剤取替型ヌメリ防除機能付き洗面台用排水栓。
【請求項７】
垂設ロッドが、長さが調整可能であることを特徴とする請求項１〜６のいずれか記載の薬剤取替型ヌメリ防除機能付き洗面台用排水栓。
【請求項８】
固形薬剤が、不織布に収容されている薬剤であることを特徴とする請求項１〜７のいずれか記載の薬剤取替型ヌメリ防除機能付き洗面台用排水栓。
【発明の詳細な説明】
【０００１】
【発明の属する技術分野】
本発明は、ヌメリ防除作用を有する微生物の発育抑制物質を含有する固形薬剤を備えたヌメリ防除機能を有する洗面台用排水栓に関し、詳しくは、前記固形薬剤の消耗により、新たな固形薬剤と簡便に取り替えることができる薬剤取替型ヌメリ防除機能付き洗面台用排水栓に関する。
【０００２】
【従来の技術】
従来より、家庭用流し台の排水口のゴミ取りカゴのヌメリ防止方法としては、さらし粉系酸化剤を単独又は他の成分と配合したものを加圧成形した錠剤を、プラスチック製のネット又はカゴ状収納容器に収納し、ヒモ等によりゴミ取りカゴ内に吊し、ゴミ取りカゴのヌメリを防止する方法がよく知られていた（特許文献１参照）が、強力な酸化力によりゴミ取りカゴ及び周辺の排水口材質を劣化・腐食させる他、塩素ガスや三塩化窒素等の刺激臭のガスを発生する等の安全性に問題を有していた。このため、強い抗菌力を有し、かつ材質腐食やガスの発生はともなわない薬剤として、５−クロロ−２−メチル−４−イソチアゾリン−３−オンが開発されたが、水に易溶であり短期間で消費され短寿命であり、また、皮膚刺激性が激しいため、家庭において使用するには安全上問題があった。本発明者らは、５−クロロ−２−メチル−４−イソチアゾリン−３−オンと多分子系ホスト化合物とからなる包接化合物を加圧成形してなる非さらし粉系ヌメリ防除剤を提案している（特許文献２参照）。この防除剤は、５−クロロ−２−メチル−４−イソチアゾリン−３−オンをホスト化合物により多分子包接体としているため皮膚刺激性が低下し、かつ水に対する溶解性も低下しており、ヌメリ防除剤として優れたものである。また、本発明者らは、有機ヨード系抗菌剤と固体酸とを加圧成形してなるヌメリ防除剤についても提案しており（特許文献３参照）、このヌメリ防除剤も優れたヌメリ防除効果が確認されている。
【０００３】
【特許文献１】
特開平８−１２８０９０号公報
【特許文献２】
特開平１０−２４５３０８号公報
【特許文献３】
特開平１０−２４５３０６号公報
【０００４】
【発明が解決しようとする課題】
本発明者らは、洗面台用のヌメリ取り器として、排水口の上位空間部に配置され、抗菌剤を含有する固形薬剤を収納する収納部と、該収納部の底部と洗面台間に排水流路を形成する間隔を保持して前記収納部を支持する間隔保持部材とを有し、前記収納部には排水の一部を流入させ、前記固形薬剤を溶解した排水をヌメリ発生面に流出させる通水孔が設けられた洗面台用ヌメリ取り器を提案している（特願２００３−１２２９７９号）。この洗面台用ヌメリ取り器は、洗面台排水口のヌメリ防除の面できわめて優れているが、洗面台ボウルに水を溜める封水機能の点において問題がないとはいえなかった。
【０００５】
ところで、近年、手軽にシャンプー等ができるように、シャワー付きの洗面台が流通している。このシャワー付洗面台においては、大量の毛髪が排出されるため、排水口には、ヘアキャッチャーを備えた、洗面台本体と装脱着可能な排水栓が用いられている（図１０参照）。これにより、排水口内部に流入された毛髪を捕獲し、洗面台本体から排水栓を脱着して毛髪を取り除くことが可能となっている。しかしながら、このようなヘアキャッチャーを備えた、洗面台本体と装脱着可能な排水栓を有する洗面台に適合するヌメリ取り器は未だ開発されていないため、かかる洗面台においてはヌメリの防除が図られておらず、特にヘアキャッチャーに捕獲された毛髪やそれに付着した石鹸等の影響によってヘアキャッチャーや排水口内部（排出管内壁）にヌメリが発生しやすいことが問題となっている。
【０００６】
本発明はかかる問題点に鑑みてなされたものであり、本発明の課題は、洗面台の排水口内部やヘアキャッチャーに発生するヌメリを効率よく防除することができ、かつ簡便に消耗したヌメリ防除用薬剤を取り替えることができる洗面台用排水栓を提供することにある。
【０００７】
【課題を解決するための手段】
本発明者らは、まず、洗面台ボウルの排水口を封水し、かつヘアキャッチャー等に発生するヌメリを効率よく防除することができ、さらに消耗したヌメリ防除用薬剤を簡便に取り替えることができる構造とすることを基本コンセプトとした。そして、ヌメリ防除用薬剤を簡便に取り替えることができるように、その下方に固定され、ヌメリ防除用薬剤を収容することができる薬剤収容バスケットを備えたリング状シール部材を排水栓本体に設け、このリング状シール部材と協働して洗面台ボウルの排水口を封水することができる封水部材をリング状シール部材の上方に配置することにより、上記基本コンセプトを満足する洗面台用排水栓として構成することができることを見い出し、本発明を完成するに至った。
【０００８】
すなわち、本発明は、微生物の発育抑制物質を含有する固形薬剤と、リング状シール部材及び該リング状シール部材の下方に固定され前記固形薬剤を収容することができる薬剤収容バスケットを備えた薬剤保持部、並びに該薬剤保持部から垂設されヘアキャッチャーを保持した垂設ロッドを有する排水栓本体と、リング状シール部材と協働して洗面台ボウルの排水口を封水することができる封水部材とを備えたことを特徴とする薬剤取替型ヌメリ防除機能付き洗面台用排水栓（請求項１）や、封水部材が、その下面内側に垂下円筒部分を備えた、リング状シール部材の上方に配置される封水蓋として構成されていることを特徴とする請求項１記載の薬剤取替型ヌメリ防除機能付き洗面台用排水栓（請求項２）に関する。
【０００９】
また、本発明は、封水部材が、リング状シール部材の上方に配置される封水蓋とその下方に固形薬剤を収納した薬剤収納部とを有する薬剤カセットから構成されていることを特徴とする請求項１記載の薬剤取替型ヌメリ防除機能付き洗面台用排水栓（請求項３）や、封水蓋が、プッシュボタン式の開閉機構を有することを特徴とする請求項２又は３記載の薬剤取替型ヌメリ防除機能付き洗面台用排水栓（請求項４）や、封水部材が、上方から固形薬剤の残量を確認することが可能な透明又は半透明であることを特徴とする請求項１〜４のいずれかに記載の薬剤取替型ヌメリ防除機能付き洗面台用排水栓（請求項５）や、垂設ロッドが、下端に錘部を有することを特徴とする請求項１〜５のいずれか記載の薬剤取替型ヌメリ防除機能付き洗面台用排水栓（請求項６）や、垂設ロッドが、長さが調整可能であることを特徴とする請求項１〜６のいずれか記載の薬剤取替型ヌメリ防除機能付き洗面台用排水栓（請求項７）や、固形薬剤が、不織布に収容されている薬剤であることを特徴とする請求項１〜７のいずれか記載の薬剤取替型ヌメリ防除機能付き洗面台用排水栓（請求項８）に関する。
【００１０】
【発明の実施の形態】
本発明の薬剤取替型ヌメリ防除機能付き洗面台用排水栓としては、微生物の発育抑制物質を含有する固形薬剤と、リング状シール部材及び該リング状シール部材の下方に固定され前記固形薬剤を収容することができる薬剤収容バスケットを備えた薬剤保持部、並びに該薬剤保持部から垂設されヘアキャッチャーを保持した垂設ロッドを有する排水栓本体と、リング状シール部材と協働して洗面台ボウルの排水口を封水することができる封水部材とを備えたものであれば、特に制限されるものではなく、本発明のヌメリ防除機能付き洗面台用排水栓を洗面台の排水口にセットすると、洗面台ボウルの排水口を封水し、容易に水を溜めることができ、また、排水口及び排水管内部やヘアキャッチャーに発生するヌメリを効率よく防除することができる上に、消耗したヌメリ防除用薬剤を簡便に取り替えることができる。
【００１１】
上記固形薬剤としては、微生物の発育抑制物質を含有する薬剤であれば特に制限されるものではなく、各種公知の殺菌剤、抗菌剤が使用可能であり、一般的な防黴剤又は抗細菌剤として知られている化合物や抗菌作用を有する天然精油類等であればどのようなものでも使用することができるが、広い抗菌スペクトルを有するものが好ましく、例えば、塩素系酸化剤としては、ジクロロジメチルヒダントイン、ブロモクロルジメチルヒダントイン、ジクロルイソシアヌル酸ナトリウム、ジクロルイソシアヌル酸カリウム、ジクロルイソシアヌル酸ナトリウムの水和物（２水和物等）、ジクロルイソシアヌル酸カリウムの水和物及びトリクロルイソシアヌル酸、次亜塩素酸カルシウム等を例示することができ、また、塩素系酸化剤以外の薬剤としては、過炭素ナトリウム、過硫酸カリウム、過硼酸ナトリウム、オルトフェニルフェノール、ジフェニル、２−イソプロピル−５−メチルフェノール、パラクロロメタキシレノール、パラヒドロキシ安息香酸−ｎ−ブチル、パラヒドロキシ安息香酸エチル、パラヒドロキシ安息香酸メチル、塩化ベンザルコニウム、塩化ベンゼトニウム、塩酸クロルへキシジン、グルコン酸クロルヘキシジン、メチレンビスチオシアネート、２−ピリジンチオール−１−オキシド、２−ピリジンチオール−１−オキシド亜鉛、２−ピリジンチオール−１−オキシドナトリウム、Ｎ，Ｎ′−ヘキサメチレンビス（４−カルバモイル−１−デシルピリジニウムブロマイド）、４，４′−（テトラメチレンジアミノ）ビス（１−デシルピリジニウムブロマイド）、２−ブロモ−２−ニトロプロパン−１，３−ジオール等を例示することができる。
【００１２】
また、本発明における微生物の発育を抑制する物質として、防黴剤又は抗細菌剤と多分子系ホスト化合物とからなる包接化合物を有利に用いることができる。この包接化合物を用いる場合、防黴剤又は抗細菌剤としては、例えば、５−クロロ−２−メチル−４−イソチアゾリン−３−オン、２−メチル−４−イソチアゾリン−３−オン、４，５−ジクロロ−３−ｎ−オクチル−イソチアゾリン−３−オン、１，２−ベンズイソチアゾリン−３−オン、２−メトキシカルボニルベンズイミダゾール、２，３，５，６−テトラクロロ−４−メタンスルホニルピリジン、２−チオシアノメチベンゾチアゾール、２，２−ジチオ−ビス−（ピリジン−１−オキサイド）、３，３，４，４−テトラハイドロチオフェン−１，１−ジオキサイド、４，５−ジクロロ−１，２−ジチオラン−３−オン、５−クロロ−４−フェニル−１，２−ジチオラン−３−オン、Ｎ−メチルピロリドン、フェニル−（２−シアノ−２−クロロビニル）スルホン、メチレンビスチオシアネート、２−ブロモ−２−ニトロプロパン−１，３−ジオール、２，２−ジブロモ−２−エタノール、２−ブロモ−４′−ヒドロキシアセトフェノン、ジブロモニトリルプロピオンアミド、２−ブロモ−２−ブロモメチルグルタルニトリル等を、また天然精油類としては、例えば、シネオール、ヒノキチオール、メントール、テルピネオール、ボルネオール、ノポール、シトラール、シトロネラール、シトロネロール、ゲラニオール、リナロール、ジメチルオクタノール、チモール等を例示することができる。
【００１３】
ここで、多分子系ホスト化合物とは、ゲストとなる抗菌剤とともに結晶性錯体（包接化合物）を形成する化合物をいい、上記の性質を有する化合物であれば特に制限されないが、例えば、テトラキスフェノ−ル類、１，１，６，６−テトラフェニル−２，４−ヘキサジイン−１，６−ジオール、１，６−ビス（２−クロロフェニル）−１，６−ジフェニルヘキサン−２，４−ジイン−１，６−ジオール、１，１，４，４−テトラフェニル−２−ブチン−１，４−ジオール、２，５−ビス（２，４−ジメチルフェニル）ハイドロキノン、１，１−ビス（２，４−ジメチルフェニル）−２−プロピン−１−オール、１，１，２，２−テトラフェニルエタン−１，２−ジオール、１，１′−ビス−２−ナフトール、９，１０−ジフェニル−９，１０−ジヒドロキシアントラセン、１，１，６，６−テトラ（２，４−ジメチルフェニル）−２，４−ヘキサジイン−１，６−ジオール、９，１０−ビス（４−メチルフェニル）−９，１０−ジヒドロキシアントラセン、１，１−ビス（４−ヒドロキシフェニル）シクロヘキサン、Ｎ，Ｎ，Ｎ′，Ｎ′−テトラキス（シクロヘキシル）−（１，１′−ビフェニル）−２−２′−ジカルボキシアミド、４，４′−スルホニルビスフェノール、４，４′−ブチリデンビス（３−メチル−６−ｔｅｒｔ−ブチルフェノール）、２，２′−メチレンビス（４−メチル−６−ｔｅｒｔ−ブチルフェノール）、４，４′−チオビス（４−クロロフェノール）、２，２′−メチレンビス（４−クロロフェノール）、デオキシコール酸、コール酸、α，α，α′，α′−テトラフェニル−１，１′−ビフェニル−２，２′−ジメタノール、ｔ−ブチルヒドロキノン、２，５−ジ−ｔｅｒｔ−ブチルヒドロキノン、顆粒状コーンスターチ、１，４−ジアザビシクロ−（２，２，２）−オクタン、３，３′−ビスフェニルスルフォニル−４，４′−ジヒドロキシフェニルスルフォン、トリ−ｏ−チモチドを例示することができる。
【００１４】
また、上記のテトラキスフェノ−ル類としては、例えば、１，１，２，２−テトラキス（４−ヒドロキシフェニル）エタン、１，１，２，２−テトラキス（３−フルオロ−４−ヒドロキシフェニル）エタン、１，１，２，２−テトラキス（３−クロロ−４−ヒドロキシフェニル）エタン、１，１，２，２−テトラキス（３−メチル−４−ヒドロキシフェニル）エタン、１，１，２，２−テトラキス（３−メトキシ−４−ヒドロキシフェニル）エタン、１，１，２，２−テトラキス（３，５−ジメチル−４−ヒドロキシフェニル）エタン、１，１，３，３−テトラキス（４−ヒドロキシフェニル）プロパン、１，１，３，３−テトラキス（３−フルオロ−４−ヒドロキシフェニル）プロパン、１，１，３，３−テトラキス（３−クロロ−４−ヒドロキシフェニル）プロパン、１，１，３，３−テトラキス（３−メチル−４−ヒドロキシフェニル）プロパン、１，１，３，３−テトラキス（３−メトキシ−４−ヒドロキシフェニル）プロパン、１，１，３，３−テトラキス（３，５−ジメチル−４−ヒドロキシフェニル）プロパン、１，１，４，４−テトラキス（４−ヒドロキシフェニル）ブタン、１，１，４，４−テトラキス（３−フルオロ−４−ヒドロキシフェニル）ブタン、１，１，４，４−テトラキス（３−クロロ−４−ヒドロキシフェニル）ブタン、１，１，４，４−テトラキス（３−メチル−４−ヒドロキシフェニル）ブタン、１，１，４，４−テトラキス（３−メトキシ−４−ヒドロキシフェニル）ブタン、１，１，４，４−テトラキス（３，５−ジメチル−４−ヒドロキシフェニル）ブタン、１，１，５，５−テトラキス（４−ヒドロキシフェニル）ペンタン、１，１，５，５−テトラキス（３−フルオロ−４−ヒドロキシフェニル）ペンタン、１，１，５，５−テトラキス（３−クロロ−４−ヒドロキシフェニル）ペンタン、１，１，５，５−テトラキス（３−メチル−４−ヒドロキシフェニル）ペンタン、１，１，５，５−テトラキス（３−メトキシ−４−ヒドロキシフェニル）ペンタン、１，１，５，５−テトラキス（３，５−ジメチル−４−ヒドロキシフェニル）ペンタン等テトラキス（ヒドロキシフェニル）アルカン類を具体的に例示することができる。
【００１５】
本発明における微生物の発育を抑制する物質として、他の抗菌剤に比較して抗菌スペクトルが広く、人体に安全な有機ヨード系抗菌剤も有利に用いることができる。この場合、有機ヨード系抗菌剤であれば特に制限はないが固体のものが望ましく、例えば、２，３，３−トリヨードアリルアルコール類、２，３，３−トリヨードアリルエーテル類、２，３，３−トリヨードアリルアゾール類、３−ヨード−２−プロパギルブチルカルバミン酸、４−クロロフェニル（３−ヨードプロパギル）ホルマール、ヨードプロパギルアゾール類、ジヨード−パラ−トリスルホン、ポピドンヨード、ベンジルヨード酢酸エステル及びパラニトロベンジルヨード酢酸エステルを例示することができ、これらは単独又は２種以上混合して使用される。
【００１６】
また、微生物の発育を抑制する物質として、前記の各種公知の殺菌剤、抗菌剤、防黴剤等やそれらを含有する公知のヌメリ防除剤、あるいは上記包接化合物や有機ヨード系抗菌剤を用いる場合、有効成分が排水と接触した際必要以上に流出することを防止し、適度な速度で接触した排水に溶解させるため、適宜配合物と混合して加圧成形、加熱溶融混合、混練り押し出し成形等の公知の方法により適当な大きさに成形することができる。
【００１７】
加圧成形する場合の配合物としては、各種公知の賦形剤、溶解調整剤、結合剤、滑沢剤、界面活性剤、腐食防止剤等を例示することができる。特に界面活性剤は溶解液がヌメリ発生壁面に広がりやすくし、かつ蓋や容器が油で汚れることを防止するのに有効である。また、苦味付与成分、辛味付与成分などを添加して、薬剤を誤って乳幼児が口に入れた場合も飲み込まないようにすることもできる。
【００１８】
賦形剤、結合剤、溶解調整剤としては、フマル酸、安息香酸、アジピン酸、コハク酸、ｄｌ−リンゴ酸、クエン酸、アスコルビン酸、マロン酸、グリコール酸等の各種有機酸、無機酸、乳糖、ブドウ糖等の糖類、コーンスターチ等の各種デンプン、燐酸水素カルシウム２水和物、燐酸３カルシウム無水物、燐酸水素マグネシウム３水和物、燐酸水素マグネシウム８水和物、クエン酸カルシウム４水和物、硫酸カルシウム０．５水和物、アセト酢酸アニリド、アセト酢酸−ｏ−トルイダイド、アセト酢酸−ｐ−トルイダイド、アセト酢酸−ｏ−アニシダイド、結晶セルロース、粉末セルロース、塩化ナトリウム、硫酸マグネシウム、硫酸カリウム、合成珪酸アルミニウム、三珪酸マグネシウム、メチルセルロース、エチルセルロース、カルボキシメチルセルロース、カルボキシメチルセルロースナトリウム、カルボキシメチルセルロースカルシウム、ヒドロキシプロピルセルロース、ポリビニルアルコール、ポリビニルピロリドン、アルギン酸ナトリウム、アラビアゴム（粉末）、ショ糖脂肪酸エステル、Ｃ１４〜Ｃ２４の飽和脂肪酸類等を挙げることができるが、その中でも特に燐酸水素カルシウム２水和物、燐酸３カルシウム無水物、燐酸水素マグネシウム３水和物、燐酸水素マグネシウム８水和物、クエン酸カルシウム４水和物、硫酸カルシウム０．５水和物、アセト酢酸アニリド、アセト酢酸−ｏ−トルイダイド、アセト酢酸−ｐ−トルイダイド、アセト酢酸−ｏ−アニシダイド、乳糖、ヒドロキシプロピルセルロース、アラビアゴム（粉末）、ポリビニルアルコール、ポリビニルピロリドン、デキストリン、Ｃ１４〜Ｃ２４の飽和脂肪酸類等は加圧成形性を向上することができ、また、各種洗剤等が混入しても反応して有毒ガス等が発生することが無いので好ましく、これら賦形剤や結合剤、溶解調整剤は全固形薬剤重量に対して１〜９９重量％の割合で添加することができる。
【００１９】
滑沢剤としては、ステアリン酸マグネシウム、ステアリン酸カルシウム、ショ糖脂肪酸エステル、Ｃ１４〜Ｃ２４の飽和脂肪酸類、安息香酸ナトリウム、シリカ、タルク、ワックス類等を例示することができ、これら滑沢剤は全固形薬剤重量に対して０．０１〜１０重量％の割合で使用することができる。界面活性剤としては、アルキルアルカノールアミド類、ジアルキルスルホコハク酸ナトリウム、ラウリル硫酸ナトリウム等を例示することができ、これら界面活性剤は全固形薬剤重量に対して０．５〜１０重量％の割合で使用することができる。また、腐食防止剤としては、アルキルチオ尿素系やトリアゾール系化合物を例示することができ、これらを使用すると配管などの金属部分の腐食を抑制することができる。
【００２０】
加熱溶融混合の場合や混練り押し出し成形する場合の配合物としては、融点が４０〜１００℃で固体であるものが好ましく、ポリオキシエチレン等の各種の水溶性高分子類、ポリオキシエチレンポリオキシプロピレンブロックポリマー、ポリオキシエチレンアルキルフェニルエーテル、ポリエチレングリコール脂肪酸エステル類、グリセリン脂肪酸エステル類、ポリオキシエチレンアルキルエーテル類等の界面活性剤を例示することができる。
【００２１】
また、固形薬剤の形状としては、球状、錠剤状、円柱状、直方体状、角錐状、ドーナツ状等どのような形態でもよく、その大きさも薬剤収容バスケットや薬剤カセットの薬剤収納部に収容しうる大きさであればどのようなものでもよい。固形薬剤の使用の形態としては、例えば、円柱状のものを１個用いる場合もあるが、小粒のものを多数使用することもできる（図１１参照）。小粒のものを多数使用する場合、同種のものを用いるほか、例えば配合成分の異なる薬剤や溶解度が異なる薬剤等異種の複数の小粒の固形薬剤を用いることもできる。また、本発明における固形薬剤には、不織布、紙、フィルム等の透水性のシートや袋やチューブ等に収容されている錠剤等の他、これらに収容されている散剤も包含され、その他、スポンジ、樹脂発泡体等に担持されていてもよく、多孔質鉱物などに含浸されていてもよいが、不織布に収容されていることが特に好ましい。不織布の材質を選定することにより、薬剤成分の流出速度を適度な速度に調節することが可能となり、より効果的にヌメリを防除することができる。なお、本発明における固形薬剤としては、固形薬剤が通水性の容器に収納された薬剤マガジン（図１２参照）の態様も便宜上含まれている。薬剤収納部に固形薬剤に加えて、さらに香料や脱臭剤を収納させれば、浴室に芳香を漂わせ悪臭を除去することができる。
【００２２】
本発明の薬剤取替型ヌメリ防除機能付き洗面台用排水栓には、固形薬剤の収容の点で２つの態様が、排水口の開閉機構の点で３つの態様が少なくとも包含される。すなわち、固形薬剤の収容の２態様としては、固形薬剤をそのまま用いる態様［イ］と、封水蓋を備えた薬剤カセットとして用いる態様［ロ］を挙げることができ、また、開閉機構の３態様としては、リング状シール部材に封水部材を螺着・嵌着する程度の差を利用して開閉する態様［Ａ］と、封水部材を１回押す毎に開閉するプッシュボタン式の開閉機構を利用する態様［Ｂ］と、洗面台の蛇口の近傍に設けられた排水栓の開閉レバーつまみにより排水栓自体を上下させて、排水口を開閉する態様［Ｃ］を挙げることができる（図１〜３参照）。洗面台用排水栓は、態様［Ｂ］ではリング状シール部材で支持され、態様［Ｃ］では排水栓の開閉レバーつまみに連結した、垂設ロッド下端の錘部を下方から支承する支承部材で支持され、態様［Ａ］ではリング状シール部材又は前記支承部材で支持されることになる。以下、本発明の薬剤取替型ヌメリ防除機能付き洗面台用排水栓の構造について具体的に説明するが、折に触れ、態様［イ］、態様［ロ］や態様［Ａ］、態様［Ｂ］、態様［Ｃ］及び態様［イ−Ａ］などそれらの組み合わせを用いるが、その意味するところは上記の説明のとおりのものである。
【００２３】
上記排水栓本体の薬剤保持部におけるリング状シール部材としては、その外側周面で洗面台ボウルの排水口に水密に嵌着することができ、その外表面に固形薬剤を装入することができる開口部を有するリング状の表面を有する概略肉厚円筒形状を有するものを好適に例示することができ、その内径や外径及び高さ方向の長さは適宜設定することができ、その材質としては特に制限されないが、態様［Ａ（螺着）］においては（封水部材に設けられている雄ねじと螺合するように、）内側周面に雌ねじを刻切することができる少なくとも内側周面に金属材料を有するものが、態様［Ａ（嵌着）］においては硬質シリコーン樹脂又はゴムや硬質フッ素系樹脂又はゴムを好適に例示することができる。また、洗面台用排水栓をリング状シール部材で支持する態様［Ａ］や態様［Ｂ］の場合、リング状シール部材の上部にフランジ部を設け、リング状シール部材が排水口の下方に陥没するのを防止することもできる。そして、このリング状シール部材の下方には、固形薬剤を収容することができる薬剤収容バスケットが固着等により固定されている。薬剤収容バスケットの内容積は、固形薬剤（態様［イ］）や薬剤カセットの薬剤収納部（態様［ロ］）を収容することができる大きさであり、その側周面及び／又は底面には、固形薬剤の溶出液を排出するためのスリットや孔が設けられている。
【００２４】
また、上記排水栓本体の垂設ロッドとしては、上記薬剤保持部、通常は薬剤収容バスケットの下部中央に固着・垂設されヘアキャッチャーを保持したものであれば特に制限されず、例えばステンレスやプラスチック等からなる棒状部材を挙げることができる。態様［Ｃ］においては、垂設ロッドの下端に錘部を有するものや垂設ロッドの長さが調整可能であるもの、中でも錘部の長さを調節可能にすることにより垂設ロッドの長さを調整可能にしたものが好ましい。垂設ロッドの長さを調整することが可能な構成としては、例えば、垂設ロッド下端の錘部を切断して長さ調整できるような構成や垂設ロッドを軸回転させることにより長さ調整できるような構成を挙げることができる。メーカー等により排水口入口から排水栓の開閉レバーつまみに連結した（垂設ロッド下端の錘部を下方から支承する）支承部材までの距離が異なることがあり、垂設ロッドの長さを調整可能とするといずれの洗面台にも適応させることが可能となる。態様［Ｂ］においては、リング状シール部材は排水口に固定して使用されることから、垂設ロッドの下端の錘部は必要なく、また垂設ロッドの長さを調整可能とする必要もない。態様［Ａ］においても、垂設ロッドの下端の錘部は必ずしも必要なく、また垂設ロッドの長さを調整可能とする必要も必ずしもないが、リング状シール部材と封水部材を圧接して封水する使用形態を考慮すると、垂設ロッドの下端に錘部を設けたり、垂設ロッドの長さを調整可能な構造とすることもできる。
【００２５】
また、上記排水栓本体の垂設ロッドに保持されるヘアキャッチャーとしては、排水口内部に流入した毛髪を捕獲するものであれば特に制限されるものではなく、毛髪を捕獲して毛髪が排水口を通過するのを防止すると共に、排水の通過を妨げないようになっている。ヘアキャッチャーの形状としては、通常、プラスチック等からなる網状部材の公知のものを例示することができる。また、垂設ロッドの下方にストッパー用の突起を設けて、該突起より上方にヘアキャッチャーをスライド自在に保持することもできる。そして、ヘアキャッチャーは、その上面が薬剤収容バスケット下端から２〜１５ｍｍ、特に５〜１５ｍｍとなるように、垂設ロッドで保持することが好ましい。
【００２６】
前記封水部材としては、リング状シール部材と協働して洗面台ボウルの排水口を封水することができるものであれば特に制限されるものではなく、リング状シール部材と水密に固着したものを態様［Ｃ］の一形態として構成することもできるが、この場合は固形薬剤を取り替えるために、リング状シール部材下方の薬剤収容バスケットを開閉する構成とする必要がある。また、ヒンジや蝶番を用いて、開閉する封水蓋を態様［Ｃ］の一形態として構成することもできるが、封水の確実性から、封水部材として、その下面内側に、好ましくは同心円的に垂下円筒部分を備えた、リング状シール部材の上方に配置される封水蓋を態様［イ−Ｃ］として好適に例示することができ、前記円筒部分を（リング状シール部材に設けられている雌ねじと螺合するように）その外側周面に雄ねじを刻切したものとして構成し、螺合により封水したり、前記円筒部分を弾性体で構成し、嵌着により封水することができる。
【００２７】
その下面内側に、好ましくは同心円的に垂下円筒部分を備えた、リング状シール部材の上方に配置される封水蓋を態様［イ−Ａ］として使用する場合には、垂下円筒部分の封水蓋近傍に流水孔を設け、この流水孔の下方部分で螺着や嵌着により、リング状シール部材で封水蓋を支持するように構成する。
【００２８】
他方、前記封水部材を、リング状シール部材の上方に配置される封水蓋とその下方に固形薬剤を収納した薬剤収納部とを有する薬剤カセットとして、すなわち態様［ロ］として構成することもできる。この場合、薬剤の取り替えは薬剤カセット単位となる。薬剤カセットを態様［Ｃ］で使用する場合、すなわち態様［ロ−Ｃ］として使用する場合、薬剤収納部の外側周面を前記垂下円筒部分として利用し、封水蓋の下面がリング状シール部材の上面と圧接して封水しうるまで、螺合又は嵌入すればよく、また、薬剤カセットを態様［Ａ］で使用する場合、すなわち態様［ロ−Ａ］として使用する場合、薬剤収納部の外側周面を前記垂下円筒部分として利用するとともに、薬剤収納部の封水蓋近傍に流入孔又は流入スリットを設け、この流水孔又は流入スリットの下方部分で螺着や嵌着により、リング状シール部材で薬剤カセットを支持するように構成する。
【００２９】
次に、封水部材を、封水蓋を１回押す毎に開閉するプッシュボタン式の開閉機構を有する封水蓋、すなわち、態様［Ｂ］となるように構成するには、緩斜面部を備えたワンウエイカムと接触子を設けて、１回の押圧操作時には接触子をワンウエイカムの係止部に係止させて排水口を閉鎖し、次回の押圧操作時には係止部を外れた接触子を非係止位置に解放して排水口を開放するなどの公知のプッシュボタン式の開閉機構を採用することができる。その他、プッシュボタン式の変形開閉機構として、封水蓋を１回押すと排水口が閉鎖され、封水蓋を回転させると排水口が開放される態様を例示することができる。すなわち、薬剤収容バスケットに２箇所の係止部（係止爪）を上下方向に設け、この係止部（係止爪）と、封水蓋下面内側の垂下円筒部分又は薬剤カセットの薬剤収容部の外側周面に設けられた係止爪（係止部）とを協働させてプッシュボタン式の変形開閉機構とすることができる。この変形開閉機構の場合、排水口が開放するように薬剤収容バスケットの上方係止部（係止爪）で係止爪（係止部）が確実に係止されるように、薬剤収容バスケットに対して封水蓋が開放位置となるようにバネ等で常時上方に付勢されているが、これに抗って封水蓋を強制的に押し下げ、係止爪（係止部）が薬剤収容バスケットの下方係止部（係止爪）に係止させる。このとき、封水蓋下面とリング状シール部材上面とが圧接されて封水することができる。次に、封水蓋を回転させると、薬剤収容バスケットの下方係止部（係止爪）に係止されている係止爪（係止部）が下方係止部（係止爪）から解放され、封水蓋が上昇する過程で、封水蓋の係止爪（係止部）が封水蓋を押し下げる前の初発位置に戻ることができるようにガイド溝が薬剤収容バスケットの内周面（封水蓋下面内側の垂下円筒部分又は薬剤カセットの薬剤収容部の外側周面）に設ける構成とすることもできる。
【００３０】
上記封水蓋を透明又は半透明の素材で構成すると、上方から固形薬剤の残量を確認することが可能となって、これにより薬剤カセットや固形薬剤の交換を必要時に確実に行うことが可能となる。また、封水蓋に模様や文字等を付すことにより意匠的な効果を得ることができ、特に模様や文字等を封水蓋下面に付す場合、封水蓋を透明又は半透明の素材で構成し、かつ、その上面をなだらかな凸球面状とすることにより、模様や文字等が拡大されて視覚され、より優れた意匠的な効果を得ることができる。
【００３１】
以下、図面を参照しつつ、本発明の洗面台用ヌメリ取り器を具体的に説明する。
図１〜３は、本発明の薬剤取替型ヌメリ防除機能付き洗面台用排水栓の分解図を示す図である。また、図４〜６は、それぞれ図１，２，３に示される洗面台用排水栓を、洗面台ボウルの排水口に設置し、未封水（開状態）としたときの部分斜視図を表し、図７は、図３に示される洗面台用排水栓を、面台ボウルの排水口に設置し、未封水（開状態）としたときの部分断面図を表している。さらに、図８は、図３に示される本発明の薬剤取替型ヌメリ防除機能付き洗面台用排水栓の別の態様を示す図である。
【００３２】
図１（イ）は、排水口の開閉機構が、リング状シール部材に封水部材を螺着・嵌着する程度の差を利用して開閉する態様［Ａ］であり、固形薬剤をそのまま用いる、本発明の薬剤取替型ヌメリ防除機能付き洗面台用排水栓の分解図を示す図である。排水栓１は、封水蓋２と、リング状部材３と、固形薬剤４を収容する薬剤収容バスケット５と、ヘアキャッチャー６保持する垂設ロッド７から構成されている。封水蓋２は、下面内側に同心円的に垂下円筒部分２１を備え、その封水蓋近傍には排水が流入する流入孔２２が設けられている。また、垂下円筒部分２１の外側周面は雄ねじとなっており、内側周面に雌ねじが刻切されたリング状部材３と螺合するようになっている。このタイプの排水栓では、封水蓋２とリング状部材３の螺着の程度を利用して排水口の開閉を調整することができる。すなわち、封水（排水口：閉）の場合には、封水蓋２が排水口１０を覆うまで封水蓋２とリング状部材３とを螺合させればよく、未封水（排水口：開）の場合には、封水蓋２の垂下円筒部分２１に設けられた流入孔２２が排水口１０の上部になるように螺合させればよい。この薬剤取替型ヌメリ防除機能付き洗面台用排水栓では、固形薬剤４が使用後１ヶ月ないし数ヶ月たって消費しつくされれば、封水蓋２を持ち上げて洗面台の排水口から排水栓本体１を取り出し、上記の封水蓋２とリング状部材３の螺着を外し、薬剤収容バスケット５に新たな固形薬剤４を補給すれば、ヌメリの防除を継続的に実施することができる。
【００３３】
図１（ロ）は、排水口の開閉機構が態様［Ａ］であり、固形薬剤として、封水蓋８１と、薬剤が収納された薬剤収納部８２とが固着された薬剤カセット８を用いる本発明の薬剤取替型ヌメリ防除機能付き洗面台用排水栓１の分解図を示す図である。薬剤収納部８２の封水蓋近傍には、排水が流入するための流入孔８３が設けられ、外側周面下方及び底面には、固形薬剤を排出するための排出孔８４が設けられている。また、薬剤収納部８２の外側周面には雄ねじが切刻され、リング状部材３の雌ねじと螺合するようになっている。このタイプの排水口の開閉は、上記図１（イ）のタイプと同様に、薬剤カセット８とリング状部材３の螺着の程度の差を利用することができる。この薬剤カセット８を用いる薬剤取替型ヌメリ防除機能付き洗面台用排水栓では、固形薬剤４が消費しつくされれば、封水蓋８１を持ち上げて排水栓本体１を取り出し、上記の薬剤カセット８とリング状部材３の螺着を外し、新たな薬剤カセット４を螺着するだけで、ヌメリの防除を継続的に実施することができる。
【００３４】
図２（イ）は、排水口の開閉機構が、封水部材を１回押す毎に開閉するプッシュボタン式の開閉機構を利用する態様［Ｂ］であり、固形薬剤をそのまま用いる、本発明の薬剤取替型ヌメリ防除機能付き洗面台用排水栓の分解図を示す図である。排水栓１は、封水蓋２と、リング状部材３と、固形薬剤４を収容する薬剤収容バスケット５と、ヘアキャッチャー６保持する垂設ロッド７から構成されている。封水蓋２は、下面内側に同心円的に垂下円筒部分２１を備え、その垂下円筒部分２１には係止爪２３が設けられている。薬剤収容バスケット５には、上下方向に２箇所の係止部５１，５２が設けられ、この係止部５１，５２と、封水蓋下面内側の垂下円筒部分２１に設けられた係止爪２３とを協働させてプッシュボタン式の変形開閉機構とすることができる。この変形開閉機構の場合、排水口が開放するように薬剤収容バスケット５の上方係止部５１で係止爪２３が確実に係止されるように、薬剤収容バスケット５に対して封水蓋が開放位置となるようにバネ等で常時上方に付勢されている（図示せず）。封水する場合には、封水蓋を上記の上方への付勢に抗って強制的に押し下げ、薬剤収容バスケット５の下方係止部５２で係止爪２３を係止させる。このとき、封水蓋２の下面とリング状シール部材３の上面とが圧接されて封水することができる。この薬剤取替型ヌメリ防除機能付き洗面台用排水栓では、固形薬剤４が使用後１ヶ月ないし数ヶ月たって消費しつくされれば、封水蓋２を持ち上げて洗面台の排水口から排水栓本体１を取り出し、上記の封水蓋２の垂下円筒部分２１の係止爪２３と薬剤収容バスケット５の係止部５１，５２の係止を外し、薬剤収容バスケット５に新たな固形薬剤４を補給すれば、ヌメリの防除を継続的に実施することができる。
【００３５】
図２（ロ）は、排水口の開閉機構が態様［Ｂ］であり、固形薬剤として、封水蓋８１と、薬剤が収納された薬剤収納部８２とが固着された薬剤カセット８を用いる本発明の薬剤取替型ヌメリ防除機能付き洗面台用排水栓１の分解図を示す図である。薬剤収納部８２の封水蓋近傍には、排水が流入するための流入孔８３が設けられ、外側周面下方及び底面には、固形薬剤を排出するための排出孔８４が設けられている。また、薬剤収納部８２の外側周面下方には、係止爪８５が設けられ、上記図２（イ）のタイプと同様に、係止爪８５と薬剤収容バスケット５の係止部５１，５２とを協働させてプッシュボタン式の変形開閉機構とすることができる。この薬剤カセット８を用いる薬剤取替型ヌメリ防除機能付き洗面台用排水栓では、固形薬剤４が消費しつくされれば、封水蓋８１を持ち上げて排水栓本体１を取り出し、上記の薬剤カセット８と薬剤収容バスケット５の係止部５１，５２の係止を外し、新たな薬剤カセット４を装着するだけで、ヌメリの防除を継続的に実施することができる。
【００３６】
図３（イ）は、洗面台の蛇口の近傍に設けられた排水栓の開閉レバーつまみにより排水栓自体を上下させて、排水口を開閉する態様［Ｃ］であり、固形薬剤をそのまま用いる、本発明の薬剤取替型ヌメリ防除機能付き洗面台用排水栓の分解図を示す図である。排水栓１は、封水蓋２と、リング状部材３と、固形薬剤４を収容する薬剤収容バスケット５と、ヘアキャッチャー６保持する垂設ロッド７から構成されている。態様［Ｃ］の開閉機構は、排水栓の開閉レバーつまみに連結した、垂設ロッド下端の錘部を下方から支承する支承部材１４により排水栓自体を上下により行うものである。垂設ロッドと支承部材との距離を適応させるために、垂設ロッド７の下方には切欠き７１が設けられ、手などで容易に垂設ロッドの長さが調整できるようになっている。この薬剤取替型ヌメリ防除機能付き洗面台用排水栓では、固形薬剤４が使用後１ヶ月ないし数ヶ月たって消費しつくされれば、封水蓋２を持ち上げて洗面台の排水口から排水栓本体１を取り出し、排水栓全体を交換すればよいが、封水蓋２の下面内側に同心円的に弾性体の垂下円筒部分２１を設け、リング状シール部材３と嵌着しうる構造とし、この嵌着を外して薬剤収容バスケット５に新たな固形薬剤４を補給する構造とすることもできる。なお、図８に示すように、垂下円筒部分２１に係爪部２４を設け、薬剤収容バスケット５の下面と係止させ、上記垂下円筒部分２１とリング状シール部材３を、より確実に封水できる構成としてもよい。
【００３７】
図３（ロ）は、排水口の開閉機構が態様［Ｃ］であり、固形薬剤として、封水蓋８１と、薬剤が収納された薬剤収納部８２とが固着された薬剤カセット８を用いる本発明の薬剤取替型ヌメリ防除機能付き洗面台用排水栓１の分解図を示す図である。薬剤収納部８２の封水蓋近傍には、排水が流入するための流入孔８３が設けられ、外側周面下方及び底面には、固形薬剤を排出するための排出孔８４が設けられている。薬剤収納部８２は弾性体部分８６を備え、リング状シール部材３と嵌着により封水することができる。この薬剤カセット８を用いる薬剤取替型ヌメリ防除機能付き洗面台用排水栓では、固形薬剤４が消費しつくされれば、封水蓋８１を持ち上げて排水栓本体１を取り出し、上記の薬剤カセット８とリング状部材３の嵌着を外し、新たな薬剤カセット４を装着するだけで、ヌメリの防除を継続的に実施することができる。
【００３８】
図９は、封水蓋に模様を付した排水栓の平面図を示している。封水蓋を透明又は半透明の素材で構成し、かつ、その上面をなだらかな凸球面状とすることにより、模様や文字等が拡大されて視覚され、より優れた意匠的な効果を得ることができる。
【００３９】
さらに、図１１及び図１２には、本発明の別の態様の薬剤取替型ヌメリ防除機能付き洗面台用排水栓の分解図が示されている。図１１に示す排水栓１は、固形薬剤として小粒のものを多数使用する形態を示し、封水蓋２と、リング状部材３と、小粒の固形薬剤４を収容する薬剤収容バスケット５と、ヘアキャッチャー６保持する垂設ロッド７から構成されている。なお、（Ｉ）は薬剤収容バスケット５が長穴容器であり、（ＩＩ）は薬剤収容バスケット５が網目容器となっている。図１２に示す排水栓１は、固形薬剤が通水性の容器に収納された薬剤マガジン４１を使用する形態を示し、封水蓋２と、リング状部材３と、薬剤マガジン４１を収容する薬剤収容バスケット５と、ヘアキャッチャー６保持する垂設ロッド７から構成されている。
【００４０】
【発明の効果】
本発明の洗面台用ヌメリ取り器によれば、洗面台の排水口内部やヘアキャッチャーに発生するヌメリを効率よく防除することができる。
【図面の簡単な説明】
【図１】本発明の薬剤取替型ヌメリ防除機能付き洗面台用排水栓の分解図を示す図である。（イ；固形薬剤を使用、ロ；薬剤カセットを使用）
【図２】本発明の別の態様の薬剤取替型ヌメリ防除機能付き洗面台用排水栓の分解図を示す図である。（イ；固形薬剤を使用、ロ；薬剤カセットを使用）
【図３】本発明の別の態様の薬剤取替型ヌメリ防除機能付き洗面台用排水栓の分解図を示す図である。（イ；固形薬剤を使用、ロ；薬剤カセットを使用）
【図４】図１に示される洗面台用排水栓を、洗面台ボウルの排水口に設置し、未封水（開状態）としたときの部分斜視図を示すである。
【図５】図２に示される洗面台用排水栓を、洗面台ボウルの排水口に設置し、未封水（開状態）としたときの部分斜視図を示すである。（イ；固形薬剤を使用、ロ；薬剤カセットを使用）
【図６】図３に示される洗面台用排水栓を、洗面台ボウルの排水口に設置し、未封水（開状態）としたときの部分斜視図を示すである。
【図７】図６の部分断面図を示すである。
【図８】図３に示される本発明の薬剤取替型ヌメリ防除機能付き洗面台用排水栓の別の態様を示す正面図を示すである。
【図９】本発明の薬剤取替型ヌメリ防除機能付き洗面台用排水栓の平面図を示すである。
【図１０】洗面台本体と装脱着可能な排水栓を有するシャワー付洗面台の斜視図を示す図である。
【図１１】本発明の別の態様の薬剤取替型ヌメリ防除機能付き洗面台用排水栓の分解図を示す図である。（Ｉ；薬剤収容バスケットが長穴容器、ＩＩ；薬剤収容バスケットが網目容器）
【図１２】本発明の別の態様の薬剤取替型ヌメリ防除機能付き洗面台用排水栓の分解図を示す図である。
【符号の説明】
１    洗面台用排水栓
２    封水蓋
２１    垂下円筒部分
２２    流入孔
２３    係止爪
２４    係止爪
３    リング状部材
４    固形薬剤
４１    固形薬剤収納マガジン
５    薬剤収容バスケット
５１    係止部
５２    係止部
６    ヘアキャッチャー
７    垂設ロッド
７１    切欠き
８    薬剤カセット
８１    封水蓋
８２    薬剤収納部
８３    流入孔
８４    排出孔
８５    係止爪
８６    弾性体部分
１０  排水口
１１  洗面台
１２  シャワー
１３  排水栓の開閉レバーつまみ
１４    支承部材
【図１】
2005048355.tif 000003
【図２】
2005048355.tif 000004
【図３】
2005048355.tif 000005
【図４】
2005048355.tif 000006
【図５】
2005048355.tif 000007
【図６】
2005048355.tif 000008
【図７】
2005048355.tif 000009
【図８】
2005048355.tif 000010
【図９】
2005048355.tif 000011
【図１０】
2005048355.tif 000012
【図１１】
2005048355.tif 000013
【図１２】
2005048355.tif 000014